(57)【要約】【課題】浴室と隣接して浴室に出入り可能で戸外に面する壁を備える脱衣室や洗面室において、戸外への開放感が得られるようにする。【解決手段】浴室１と隣接して浴室１に出入り可能な室（洗面室）２が戸外に面する壁を備える浴室周辺構造において、室２の戸外に面する壁に、床から天井に至る開口部２３を形成する。この開口部２３は室２の全幅に渡って形成する。この開口部２３に、透光性を有する面材または開閉戸２４を設ける。戸外には、室２の床及び開口部２３の下端に連続する同じ高さのバルコニー３を設ける。浴室１と室２の内部及びバルコニー３を同じ色調（白等）の仕様とする。特に、浴室１と室２の床及び壁とバルコニー３をタイルなどの目地を有する仕様とする。さらに、浴室１の戸外に面する壁には、浴槽１０の縁から天井に至る開閉窓１４を設ける。そして、デッキ４及びバルコニー３を囲む塀５を設ける。【選択図】図５
2005220562.tif 000002
【特許請求の範囲】
【請求項１】
浴室と隣接して浴室に出入り可能な室が戸外に面する壁を備える浴室周辺構造において、
前記室の戸外に面する壁に、床から天井に至る開口部を形成したことを特徴とする浴室周辺構造。
【請求項２】
前記開口部を前記室の全幅に渡って形成したことを特徴とする請求項１に記載の浴室周辺構造。
【請求項３】
前記開口部に、透光性を有する面材を設けたことを特徴とする請求項１または２に記載の浴室周辺構造。
【請求項４】
前記開口部に、透光性を有する面材を備える開閉戸を設けたことを特徴とする請求項１または２に記載の浴室周辺構造。
【請求項５】
戸外には、前記室の床及び前記開口部の下端に連続する同じ高さのバルコニーを設けたことを特徴とする請求項１から４のいずれか一項に記載の浴室周辺構造。
【請求項６】
浴室と前記室の内部及びバルコニーを同じ色調の仕様としたことを特徴とする請求項５に記載の浴室周辺構造。
【請求項７】
浴室と前記室の床及び壁とバルコニーをタイルなどの目地を有する仕様としたことを特徴とする請求項６に記載の浴室周辺構造。
【請求項８】
浴室の戸外に面する壁に、浴槽の縁から天井に至る開閉窓を設けたことを特徴とする請求項１から７のいずれか一項に記載の浴室周辺構造。
【請求項９】
前記室の開口部と浴室の開閉窓を直交する二方向に向けて設けたことを特徴とする請求項８に記載の浴室周辺構造。
【請求項１０】
戸外には、浴槽の縁及び前記開閉窓の下端に連続する同じ高さのデッキを設けたことを特徴とする請求項８または９に記載の浴室周辺構造。
【請求項１１】
デッキをバルコニーの一側部に連続させたことを特徴とする請求項１０に記載の浴室周辺構造。
【請求項１２】
デッキ及びバルコニーを囲む塀を設けたことを特徴とする請求項１０または１１に記載の浴室周辺構造。
【発明の詳細な説明】
【技術分野】
【０００１】
本発明は、戸外への開放感が得られる浴室周辺構造に関する。
【背景技術】
【０００２】
従来一般的に、浴室と洗面室や脱衣室は北側で暗く狭いところでそれぞれ仕切られ、閉塞感があることが多く、また、覗かれるなどの問題から戸外に面する壁には小窓が多く、開閉戸を設けたものは無く開放感が少ないものとなっていた。
【０００３】
最近では、浴室と隣接する脱衣室との間仕切り及び開閉戸に大きな窓を設けて、入浴中の開放感が得られるようにしたものがある（例えば特許文献１参照）。同様に入浴中の開放感が得られるようにするため、浴室と隣接する脱衣室及びトイレまたは洗面室との間仕切り及び開閉戸を透視可能な透光性を有する面材により構成するとともに、浴室の戸外に面する壁に横長の鏡を設けたものもある（例えば特許文献２、３参照）。
【特許文献１】特開平９−３０２９５５号公報
【特許文献２】特開平１０−３１１１５１号公報
【特許文献３】特開２００３−３３６４０９号公報
【発明の開示】
【発明が解決しようとする課題】
【０００４】
しかし、浴室や脱衣室や洗面室は、戸外に面する壁に窓を設けていただけであり、戸外への開放感が得られようなものは従来なかった。
【０００５】
本発明の課題は、浴室と隣接して浴室に出入り可能で戸外に面する壁を備える脱衣室や洗面室において、戸外への開放感が得られるようにすることである。
【課題を解決するための手段】
【０００６】
以上の課題を解決するため、請求項１に記載の発明は、例えば図１、図２、図５から図７に示すように、浴室１と隣接して浴室１に出入り可能な室（洗面室）２が戸外に面する壁を備える浴室周辺構造において、前記室２の戸外に面する壁に、床から天井に至る開口部２３を形成したことを特徴とする。
【０００７】
ここで、浴室と隣接して浴室に出入り可能な室としては、脱衣室や洗面室が挙げられ、また、トイレを設置した洗面室であっても良い。
【０００８】
このように、浴室と隣接して浴室に出入り可能な室の戸外に面する壁に、床から天井に至る開口部を形成したので、浴室と隣接する脱衣室や洗面室において、その戸外に面する壁に形成した開口部から外部光が床から天井まで入り込む一方、その床から天井に至る大きな開口部により戸外を見渡せる。
従って、脱衣室や洗面室では従来無かった戸外への開放感が得られる。
その結果、浴室と隣接する脱衣室または洗面室との間仕切り及び開閉戸を透視可能な透光性を有する面材により構成しておくことで、入浴中の開放感もより高められる。
【０００９】
請求項２に記載の発明は、請求項１に記載の浴室周辺構造であって、例えば図１、図５及び図７に示すように、前記開口部２３を前記室２の全幅に渡って形成したことを特徴とする。
【００１０】
このように、前記室の全幅に渡って開口部を形成したので、浴室と隣接する脱衣室や洗面室において、その戸外に面する壁の全面が大きな開口部となり、外部光を最大限に取り入れられるとともに、戸外への開放感が最大限に得られる。
【００１１】
請求項３に記載の発明は、請求項１または２に記載の浴室周辺構造であって、例えば図５から図７に示すように、前記開口部２３に、透光性を有する面材２４を設けたことを特徴とする。
【００１２】
このように、透光性を有する面材を開口部に設けたので、浴室と隣接する脱衣室や洗面室において、開口部に設けた透光性を有する面材を透して室内に光を取り入れたり戸外を見渡せる。
【００１３】
請求項４に記載の発明は、請求項１または２に記載の浴室周辺構造であって、例えば図５から図７に示すように、前記開口部２３に、透光性を有する面材を備える開閉戸２４を設けたことを特徴とする。
【００１４】
このように、透光性を有する面材を備える開閉戸を開口部に設けたので、浴室と隣接する脱衣室や洗面室において、開閉戸を開けた状態で開口部から、あるいは閉めた状態では開閉戸の透光性を有する面材を透して室内に光を取り入れたり戸外を見渡せる他、開閉戸を開けて戸外への出入りも行える。
【００１５】
請求項５に記載の発明は、請求項１から４のいずれか一項に記載の浴室周辺構造であって、例えば図１、図５及び図６に示すように、戸外には、前記室２の床及び前記開口部２３の下端に連続する同じ高さのバルコニー３を設けたことを特徴とする。
【００１６】
このように、前記室の床及び前記開口部の下端に連続する同じ高さのバルコニーを設けたので、浴室と隣接する脱衣室や洗面室において、バルコニーによる戸外空間までの連続性が得られるとともに、バルコニーまで段差のないバリアフリースペースが得られる。
【００１７】
請求項６に記載の発明は、請求項５に記載の浴室周辺構造であって、例えば図５に示すように、浴室１と前記室２の内部及びバルコニー３を同じ色調（白等）の仕様としたことを特徴とする。
【００１８】
このように、浴室と前記室の内部及びバルコニーを同じ色調の仕様としたので、脱衣室や洗面室において、同じ色調により浴室及びバルコニーまでの連続性・一体感が得られる。
【００１９】
請求項７に記載の発明は、請求項６に記載の浴室周辺構造であって、例えば図５に示すように、浴室１と前記室２の床及び壁とバルコニー３をタイルなどの目地を有する仕様としたことを特徴とする。
【００２０】
このように、浴室と前記室の床及び壁とバルコニーをタイルなどの目地を有する仕様としたので、脱衣室や洗面室において、目地のラインにより浴室及びバルコニーまでの視覚的な焦点を強調した広がり感が得られる。
【００２１】
請求項８に記載の発明は、請求項１から７のいずれか一項に記載の浴室周辺構造であって、例えば図１、図３から図５に示すように、浴室１の戸外に面する壁に、浴槽１０の縁から天井に至る開閉窓１４を設けたことを特徴とする。
【００２２】
このように、浴室の戸外に面する壁に、浴槽の縁から天井に至る開閉窓を設けたので、脱衣室や洗面室に隣接する浴室において、その戸外に面する壁に設けた開閉窓から外部光が浴槽の縁から天井まで入り込む一方、その浴槽の縁から天井に至る大きな開閉窓により戸外を見渡せる。
従って、浴室での戸外への開放感も得られる。
【００２３】
請求項９に記載の発明は、請求項８に記載の浴室周辺構造であって、例えば図１及び図５に示すように、前記室２の開口部２３と浴室１の開閉窓１４を直交する二方向に向けて設けたことを特徴とする。
【００２４】
このように、前記室の開口部と浴室の開閉窓を直交する二方向に向けて設けたので、脱衣室や洗面室において、浴室との間仕切り及び開閉戸を透視可能な透光性を有する面材により構成しておけば、開口部と浴室の開閉窓との直交する二方向から外部光が広い範囲で取り入れられるとともに、開口部と浴室の開閉窓とによる直交する二方向の戸外への視界が得られる。
また、浴室において、その開閉窓による戸外への視界と反対側の脱衣室や洗面室への視界とが得られるとともに、脱衣室や洗面室の開口部から見え隠れする戸外の視界も得られる。
【００２５】
請求項１０に記載の発明は、請求項８または９に記載の浴室周辺構造であって、例えば図１、図５及び図７に示すように、戸外には、浴槽１０の縁及び前記開閉窓１４の下端に連続する同じ高さのデッキ４を設けたことを特徴とする。
【００２６】
このように、浴槽の縁及び前記開閉窓の下端に連続する同じ高さのデッキを設けたので、浴室において、浴槽の縁から同じ高さのデッキによる戸外空間までの連続性が得られるとともに、デッキに座った足浴も可能になる。
【００２７】
請求項１１に記載の発明は、請求項１０に記載の浴室周辺構造であって、例えば図１及び図６に示すように、デッキ４をバルコニー３の一側部に連続させたことを特徴とする。
【００２８】
このように、デッキをバルコニーの一側部に連続させたので、デッキとバルコニーを行き来でき、浴室からデッキに出て涼んだ後バルコニーを通り脱衣室や洗面室に入ったり、脱衣室や洗面室からバルコニーに出てデッキに座って足浴することも可能になる。
【００２９】
請求項１２に記載の発明は、請求項１０または１１に記載の浴室周辺構造であって、例えば図１、図４から図６に示すように、デッキ４及びバルコニー３を囲む塀５を設けたことを特徴とする。
【００３０】
このように、デッキ及びバルコニーを囲む塀を設けたので、デッキやバルコニーに裸で出てもプライバシーが保たれる。
【発明の効果】
【００３１】
請求項１に記載の発明によれば、浴室と隣接する脱衣室や洗面室において、その戸外に面する壁に形成した開口部から外部光が床から天井まで入り込む一方、その床から天井に至る大きな開口部により戸外を見渡せるため、脱衣室や洗面室では従来無かった戸外への開放感を得ることができる。
従って、浴室と隣接する脱衣室または洗面室との間仕切り及び開閉戸を透視可能な透光性を有する面材により構成しておけば、入浴中の開放感もより高めることができる。
【００３２】
請求項２に記載の発明によれば、浴室と隣接する脱衣室や洗面室において、請求項１に記載の発明により得られる効果に加え、戸外に面する壁全面の開口部によって、外部光を最大限に取り入れることができるとともに、戸外への開放感を最大限に得ることができる。
【００３３】
請求項３に記載の発明によれば、浴室と隣接する脱衣室や洗面室において、請求項１または２に記載の発明の開口部に設けた透光性を有する面材を透して室内に光を取り入れたり戸外を見渡すことができる。
【００３４】
請求項４に記載の発明によれば、浴室と隣接する脱衣室や洗面室において、請求項１または２に記載の発明により得られる効果に加え、開閉戸を開けた状態で開口部から、あるいは閉めた状態では開閉戸の透光性を有する面材を透して室内に光を取り入れたり戸外を見渡すことができる他、開閉戸を開けて戸外へも出入できるようになるといった利点が得られる。
【００３５】
請求項５に記載の発明によれば、浴室と隣接する脱衣室や洗面室において、請求項１から４のいずれか一項に記載の発明により得られる効果に加え、バルコニーによる戸外空間までの連続性を得ることができるとともに、バルコニーまで段差のないバリアフリースペースを得ることができるといった利点が得られる。
【００３６】
請求項６に記載の発明によれば、脱衣室や洗面室において、請求項５に記載の発明により得られる効果に加え、同じ色調により浴室及びバルコニーまでの連続性・一体感を得ることができる。
【００３７】
請求項７に記載の発明によれば、脱衣室や洗面室において、請求項６に記載の発明により得られる効果に加え、目地のラインにより浴室及びバルコニーまでの視覚的な焦点を強調した広がり感を得ることができる。
【００３８】
請求項８に記載の発明によれば、請求項１から７のいずれか一項に記載の発明により得られる効果に加え、脱衣室や洗面室に隣接する浴室において、その戸外に面する壁に設けた開閉窓から外部光が浴槽の縁から天井まで入り込む一方、その浴槽の縁から天井に至る大きな開閉窓により戸外を見渡せるため、浴室での戸外への開放感も得ることができる。
【００３９】
請求項９に記載の発明によれば、請求項８に記載の発明により得られる効果に加え、脱衣室や洗面室において、浴室との間仕切り及び開閉戸を透視可能な透光性を有する面材により構成しておけば、開口部と浴室の開閉窓との直交する二方向から外部光を広い範囲で取り入れることができるとともに、開口部と浴室の開閉窓とによる直交する二方向の戸外への視界の得ることができる。
また、浴室において、その開閉窓による戸外への視界と反対側の脱衣室や洗面室への視界とを得ることができるとともに、脱衣室や洗面室の開口部から見え隠れする戸外の視界も得ることができる。
【００４０】
請求項１０に記載の発明によれば、請求項８または９に記載の発明により得られる効果に加え、浴室において、浴槽の縁から同じ高さのデッキによる戸外空間までの連続性を得ることができるとともに、デッキに座って足浴できるようになるといった利点が得られる。
【００４１】
請求項１１に記載の発明によれば、請求項１０に記載の発明により得られる効果に加え、互いに連続するデッキとバルコニーを行き来でき、浴室からデッキに出て涼んだ後バルコニーを通り脱衣室や洗面室に入ったり、脱衣室や洗面室からバルコニーに出てデッキに座って足浴することもできるといった利点が得られる。
【００４２】
請求項１２に記載の発明によれば、請求項１０または１１に記載の発明により得られる効果に加え、デッキやバルコニーに裸で出ても、その周りを囲んだ塀によりプライバシーを保つことができるといった利点が得られる。
【発明を実施するための最良の形態】
【００４３】
以下、図を参照して本発明を実施するための最良の形態を詳細に説明する。
本発明を適用した浴室周辺構造の一実施形態の構成を示す図１において、１は浴室、２は洗面室、３はバルコニー、４はデッキ、５は塀である。
図示のように、浴槽１０を備える浴室１と洗面台２０を備える脱衣室兼用の洗面室２が隣接していて、その間仕切り部分は、図３、図５及び図７にも示すように、浴室１の全幅に渡って床から天井に至るまでの大きな開口部１１となっている。この開口部１１は、半幅部分に間仕切り板として透光性を有する面材であるガラス板１２が固定されて、残る半幅部分に開閉戸として透光性を有する面材である片開きのガラス戸１３が組み付けられている。なお、浴槽１０と洗面台２０とは互いに対向する壁面に沿って平行に設けられている。
【００４４】
浴室１及び洗面室２が並ぶ側は戸外に面する壁となっていて、浴室１の浴槽１０に沿った側も戸外に面する壁となっており、浴槽１及び洗面室２の他の壁は他の居室等との間仕切り壁となっている。図示例では、洗面室２の戸外に面する壁と対向する壁に片引きの入口戸２１が設けられていて、この入口戸２１と洗面台との間に便器２２が設置されている。
そして、洗面室２の戸外に面する壁には、図２、図５及び図７にも示すように、洗面室２の全幅に渡って床から天井に至るまでの大きな開口部２３となっている。この開口部２３には、開閉戸として透光性を有する面材である引違いのガラス戸２４が組み付けられている。
【００４５】
また、浴室１の浴槽１０に沿って戸外に面する壁には、図３から図５及び図７にも示すように、浴室１の全幅に渡って浴槽１０の縁から天井に至るまでの大きな開閉窓１４が設けられている。この開閉窓１４は、透光性を有する面材である引き違いのガラス戸１５により構成されている。
さらに、浴室１内に横長の鏡１６が設けられるともに、洗面室２内にも横長の鏡２６が設けられている。即ち、浴室１の戸外に面する壁と対向する壁面に、図３及び図６に示すように、浴槽１０及び洗い場の上方に渡って位置する横長の鏡１６が取り付けられている。洗面室２の洗面台２０側の壁面にも、図２及び図７に示すように、洗面台２０の上方に同幅で位置する横長の鏡２６が取り付けられている。
【００４６】
そして、戸外には、浴室１及び洗面室２が並ぶ側の外壁に沿ったバルコニー３が設けられるとともに、浴室１の開閉窓１４を設けた外壁に沿ったデッキ４が設けられている。即ち、浴室１及び洗面室２が並ぶ外壁に沿って、図５及び図６に示すように、洗面室２の床と開口部２３の下端に連続する同じ高さのバルコニー３が設けられている。
また、浴室１の開閉窓１４を有する外壁に沿っては、図４、図５及び図７に示すように、浴槽１０の縁と開閉窓１４の下端に連続する同じ高さの木製によるデッキ４が設けられている。このデッキ４は、バルコニー３の一側部に対し直角方向に連続している。
さらに、これら直角方向に連続するバルコニー３及びデッキ５を、図１に示したように三方向から囲む塀５が設けられている。
【００４７】
以上において、浴室１内と洗面室２内とバルコニー３は、同じ色調による仕上げ仕様となっている。即ち、浴室１及び洗面室２の床、壁及び天井とバルコニー３は、同様の材料や材質を用いた仕上げにより例えば白等の同じ色彩に統一されている。
そして、図示したように、浴室１及び洗面室２の床とバルコニー３は、タイルなどの目地を有する仕様となっていて、その目地のラインが揃えられている。また、浴槽１０と浴室１及び洗面室２の壁は、床及びバルコニー３よりも細かな目地を有する仕様となっている。
【００４８】
以上の浴室周辺構造によれば、浴室１と隣接する洗面室２の戸外に面する壁に、洗面室２の全幅に渡って床から天井に至る大きな開口部２３を形成して全面的にガラス戸２４を設けたので、浴室１と隣接する脱衣室兼用の洗面室２において、最大限に開口部２３から外部光がガラス戸２４を透して床から天井まで入り込むようになる。従って、洗面室２において、ガラス戸２４の開閉に関わらず、従来の脱衣室や洗面室では無かった外部光の採光が最大限に得られるものとなる。
反対に、洗面室２からは壁全面のガラス戸２４を透して最大限に戸外を見渡せるようになる。従って、洗面室２において、従来の脱衣室や洗面室では無かった戸外への開放感が最大限に得られるものとなる。
さらに、ガラス戸２４を開けて洗面室２とバルコニー３との間を行き来することもできる。
【００４９】
そして、浴室１と洗面室２との間は、浴室１の全幅に渡って床から天井に至るまでの大きな開口部１１となっていて全面的にガラス板１２及びガラス戸１３を設けたので、入浴中の開放感も従来より高められる。
即ち、浴室１に入浴中において、ガラス板１２及びガラス戸１３を透して洗面室２内が最大限に見渡せて空間の連続性が得られることに加えて、前述した洗面室２のガラス戸２４を透した外部光の採光と戸外への見通しが得られることから、開放感も従来より高められるものとなる。
【００５０】
また、洗面室２の床及び開口部２３の下端に連続する同じ高さのバルコニー３となっているので、洗面室２において、バルコニー３による戸外空間までの連続性が得られるとともに、バルコニー３まで段差のないバリアフリースペースとなって、車椅子利用や歩行障害者や高齢者にも容易に利用できる。
しかも、浴室１と洗面室１の床、壁及び天井とバルコニーが白等の同じ色で統一されているので、洗面室２において、浴室１及びバルコニー３まで同じ色による連続性・一体感が得られるものとなる。
その上、浴室１と洗面室２の床及び壁とバルコニー３がタイルなどの目地を揃えた仕様となっているので、洗面室２において、目地のラインにより浴室１及びバルコニー３まで視覚的な焦点を強調した広がり感が得られるものとなる。
【００５１】
また、浴室１の浴槽１０に沿って戸外に面する壁には、浴室１の全幅に渡って浴槽１０の縁から天井に至る開閉窓１４が設けられているので、浴室１において、最大限に開閉窓１４から外部光がガラス戸１５を透して浴槽１０の縁から天井まで入り込むようになる。従って、浴室１において、ガラス戸１５の開閉に関わらず、外部光の採光が最大限に得られるものとなる。
反対に、浴室１からは大きなガラス戸１５を透して最大限に戸外を見渡せるようになる。従って、浴室１においても、戸外への開放感が最大限に得られるものとなる。
さらに、ガラス戸１５を開けて浴室１とデッキ４との間を出入りすることもできる。
【００５２】
しかも、浴室１の開閉窓１４は洗面室２の開口部２３と直交方向に向いているので、洗面室２には、開口部２３からと浴室１の開閉窓１４からとによる直交する二方向から外部光が広い範囲で取り入れられるものとなっている。即ち、洗面室２には、前述した開口部２３からガラス戸２４を透して外部光が取り入れられることに加え、開閉窓１４から浴室１、ガラス板１２及びガラス戸１３を透して外部光が取り入れられる。従って、洗面室２には、直交する二方向から広い範囲で外部光が取り入れられる。
反対に、洗面室２からは、開口部２３と浴室１の開閉窓１４とによる直交する二方向の戸外への視界が得られるものとなっている。
【００５３】
また、浴室１において、その開閉窓１４による戸外への視界と反対側の洗面室２への視界とが得られるとともに、洗面室２の開口部２３から見え隠れする戸外の視界も得られるものとなっている。
さらに、図示例では、洗面室２の便器２２に座った状態においても、開口部２３による戸外への視界に加え、浴室１の開閉窓１４から見え隠れする戸外への視界が得られるものとなっている。
【００５４】
また、浴室１から浴槽１０の縁及び開閉窓１４の下端に連続する同じ高さのデッキ４が設けられているので、浴室１において、浴槽１０の縁から同じ高さのデッキ４による戸外空間までの連続性が得られるものとなっている。
さらに、図４に仮想線で示したように、デッキ４に座った状態で浴槽１０に足を入れることにより、足浴することもできるようになる。
【００５５】
また、洗面室２には、浴室１の開閉窓１４と反対方向で洗面台２０の上方に同幅で位置する横長の鏡２６が取り付けられているので、浴室１からは、ガラス板１２及びガラス戸１３を透して鏡２６に浴室１側も映し込まれて、視界に広がりと奥行き感を与えるものとなっている。
さらに、浴室１にも、浴槽１０及び洗い場の上方に渡って位置する横長の鏡１６が取り付けられているので、ガラス板１２及びガラス戸１３を透して鏡１６に洗面室２側も映し込まれて、視界に広がりと奥行き感を与えるものとなっている。
【００５６】
また、バルコニー３の一側部にデッキ４が連続しているので、バルコニー３とデッキ４を行き来できるものとなっている。従って、浴室１からデッキ４に出て涼んだ後バルコニー３を通り洗面室２に入ったり、反対に、洗面室２からバルコニー３に出てデッキ４に座って足浴することも可能である。
そして、以上のバルコニー３及びデッキ４を囲む塀５が設けられているので、バルコニー３やデッキ４に裸で出ても塀５により外部から覗かれる心配が無くプライバシーが保たれるものとなっている。
ここで、塀５は、図示例ではデッキ４の一端側で開放されているが、この部分は植栽や他のもので隠しておけば良い。また、バルコニー３の一側部において、塀５に出入口を設けても良い。
【００５７】
なお、以上の実施形態においては、脱衣室兼用の洗面室としたが、本発明はこれに限定されるものではなく、脱衣室であっても良い。また、洗面室の開口部は透光性を有する面材を固定した構成であっても良い。透光性を有する面材もガラスに限らず透明樹脂や半透明樹脂であっても良い。
さらに、その他、浴槽や洗面台のレイアウト、戸の開閉方式、具体的な細部構造等についても適宜に変更可能であることは勿論である。
【図面の簡単な説明】
【００５８】
【図１】本発明を適用した浴室周辺構造の一実施形態の構成を示すもので、浴室、洗面室、バルコニー及びデッキ部分の平面図である。
【図２】図１の洗面室の浴室と反対側壁面を示した正面図である。
【図３】図１の浴室の一壁面を示した正面図である。
【図４】図１のデッキ部分の縦断面図である。
【図５】図１の洗面室から浴室及びバルコニーを見た斜視図である。
【図６】図１のバルコニーから洗面室及び浴室とデッキを見た斜視図である。
【図７】図１のデッキから浴室及び洗面室を見た斜視図である。
【符号の説明】
【００５９】
１  浴室
１０  浴槽
１１  洗面室との開口部
１２  間仕切り板（透光性を有する面材）
１３  開閉戸（透光性を有する面材）
１４  開閉窓
１５  開閉戸（透光性を有する面材）
１６  鏡
２  洗面室（浴室と隣接して浴室に出入り可能な室）
２０  洗面台
２１  入口戸
２２  便器
２３  戸外への開口部
２４  開閉戸（透光性を有する面材）
２６  鏡
３  バルコニー
４  デッキ
５  塀
【図１】
2005220562.tif 000003
【図２】
2005220562.tif 000004
【図３】
2005220562.tif 000005
【図４】
2005220562.tif 000006
【図５】
2005220562.tif 000007
【図６】
2005220562.tif 000008
【図７】
2005220562.tif 000009